(57)【要約】【課題】比較的簡単な検査装置を用いてデータ電極の形状の検査が可能なプラズマディスプレイパネルを提供する。【解決手段】複数の表示電極対を配置した前面基板と複数のデータ電極３２を配置した背面基板とを、表示電極対とデータ電極３２とが交差する方向に対向配置したプラズマディスプレイパネルであって、データ電極３２は、画像を表示する画像表示領域５０内において表示電極対に対向する部分の幅をその他の部分の幅より広く形成した幅広部３２ａを有するとともに、画像表示領域５０外にもその他の部分の幅より広く形成したダミー幅広部４２ａを有する。【選択図】図３
2008311098.tif 000002
【特許請求の範囲】
【請求項１】
複数の表示電極対を配置した前面基板と複数のデータ電極を配置した背面基板とを、前記表示電極対と前記データ電極とが交差する方向に対向配置したプラズマディスプレイパネルであって、
前記データ電極は、画像を表示する画像表示領域内において前記表示電極対に対向する部分の幅をその他の部分の幅より広く形成した幅広部を有するとともに、画像表示領域外にも前記その他の部分の幅より広く形成したダミー幅広部を有することを特徴とするプラズマディスプレイパネル。
【請求項２】
前記ダミー幅広部の幅は、前記画像表示領域から遠ざかるにつれて狭くなるように形成されていることを特徴とする請求項１に記載のプラズマディスプレイパネル。
【発明の詳細な説明】
【技術分野】
【０００１】
本発明は、プラズマディスプレイパネルに関するものである。
【背景技術】
【０００２】
プラズマディスプレイパネル（以下、「パネル」と略記する）として代表的な交流面放電型パネルは、対向配置された前面板と背面板との間に多数の放電セルが形成されている。
【０００３】
前面板は、１対の走査電極と維持電極とからなる表示電極対がガラス製の前面基板上に互いに平行に複数対形成され、それら表示電極対を覆うように誘電体層および保護層が形成されている。表示電極対は、前面基板にＩＴＯ等の透明な導電体材料を蒸着し、その上に酸化ルテニウムを主成分とする黒色層をスクリーン印刷法等により形成し、それらを焼成して形成される。誘電体層は低融点ガラスをダイコート法等により印刷した後焼成して形成され、保護層は酸化マグネシウムの蒸着等により形成される。
【０００４】
背面板は、ガラス製の背面基板上に複数の平行なデータ電極と、それらを覆うように誘電体層と、さらにその上にデータ電極と平行に複数の隔壁とがそれぞれ形成され、誘電体層の表面と隔壁の側面とに蛍光体層が形成されている。データ電極は、Ａｇを主成分とする導電体材料をスクリーン印刷法等により塗布し、それらを焼成して形成される。また隔壁は、感光性ガラスペーストを塗布、焼成した後、感光、エッチングして形成される。そして蛍光体層は、インクジェット法等により蛍光体インクを塗布した後、乾燥、焼成して形成される。
【０００５】
そして、表示電極対とデータ電極とが立体交差するように前面板と背面板とを対向配置して低融点ガラスを用いて密封し、内部の放電空間にキセノンを含む放電ガスを封入する。こうして表示電極対とデータ電極との対向する部分に放電セルを形成する。このような構成のパネルの各放電セル内でガス放電を発生させ、このとき発生した紫外線で赤色、緑色および青色の各色に発光する蛍光体層を励起発光させてカラー表示を行っている。
【０００６】
このようなパネルを製造する製造工程では、形成した電極の形状を検査する工程が一般に設けられており、そこで用いるためのさまざまな検査装置が提案されている。例えば特許文献１には、基板上に形成された電極の形状をＣＣＤカメラで撮像し、電極形状が繰り返し形状以外の特異な形状を持つ部分を異常部として検出するとともに、異常部検出後あらかじめ設定されている特異な形状と比較して、あらかじめ設定されている特異な形状であるか電極形状の欠陥であるかを判定するステップを設けた検査装置が開示されている。
【０００７】
一方、近年はパネルの高精細化、大画面化に対応して、短時間で確実に書込み動作を行い、消費電力も少ないパネルを実現するためのさまざまな工夫がなされている。例えば特許文献２には、データ電極の電極幅が一定ではなく、放電が発生する部分の電極幅を、それ以外の電極幅よりも広く形成したことを特徴とするパネルが開示されている。
【特許文献１】特開２００３−２７００８７号公報
【特許文献２】特開２０００−１００３３８号公報
【発明の開示】
【発明が解決しようとする課題】
【０００８】
カメラを用いた検査装置では、一般に、カメラまたはパネルの基板を移動しながら電極の形状を撮像する。そして特許文献２に記載された形状のデータ電極等を検査する場合、画像表示領域の内部では電極形状が繰り返し形状となることが多いが、画像表示領域の境界部分では繰り返し形状とはならない。そのため、基板上に形成された電極の座標原点とカメラの位置の座標原点とを一致させておき、カメラの撮像している領域が電極のどの領域であるかを認識しながら検査する必要があった。そのために、基板を精度よく位置合わせする必要があり、さらにカメラまたは基板を精度よく移動するための移動装置が必要となるので、検査装置が大型化して、その制御も煩雑になる傾向があった。
【０００９】
本発明はこのような課題に鑑みなされたものであり、比較的簡単な検査装置を用いてデータ電極の形状の検査が可能なパネルを提供することを目的とする。
【課題を解決するための手段】
【００１０】
本発明は、複数の表示電極対を配置した前面基板と複数のデータ電極を配置した背面基板とを、表示電極対とデータ電極とが交差する方向に対向配置したパネルであって、データ電極は、画像を表示する画像表示領域内において表示電極対に対向する部分の幅をその他の部分の幅より広く形成した幅広部を有するとともに、画像表示領域外にもその他の部分の幅より広く形成したダミー幅広部を有することを特徴とする。この構成により、比較的簡単な検査装置を用いてデータ電極の形状の検査が可能なパネルを提供することができる。
【００１１】
また本発明のパネルのダミー幅広部の幅は、画像表示領域から遠ざかるにつれて狭くなるように形成されていることが望ましい。
【発明の効果】
【００１２】
本発明によれば、比較的簡単な検査装置を用いてデータ電極の形状の検査が可能なパネルを提供することが可能となる。
【発明を実施するための最良の形態】
【００１３】
以下、本発明の実施の形態におけるパネルについて、図面を用いて説明する。
【００１４】
（実施の形態１）
図１は、本発明の実施の形態１におけるパネル１０の構造を示す図であり、図１（ａ）は分解斜視図、図１（ｂ）は電極配列図である。ガラス製の前面基板２１上には、走査電極２２と維持電極２３とからなる表示電極対２４が複数形成されている。そして走査電極２２と維持電極２３とを覆うように誘電体層２５が形成され、その誘電体層２５上に保護層２６が形成されている。背面基板３１上にはデータ電極３２が複数形成され、データ電極３２を覆うように誘電体層３３が形成され、さらにその上に井桁状の隔壁３４が形成されている。そして、隔壁３４の側面および誘電体層３３上には赤色、緑色および青色の各色に発光する蛍光体層３５が設けられている。
【００１５】
これら前面基板２１と背面基板３１とは、微小な放電空間を挟んで表示電極対２４とデータ電極３２とが交差するように対向配置され、その外周部をガラスフリット等の封着材によって封着されている。そして放電空間には、例えばネオンとキセノンの混合ガスが放電ガスとして封入されている。放電空間は隔壁３４によって複数の区画に仕切られており、表示電極対２４とデータ電極３２とが交差する部分に放電セルが形成されている。そしてこれらの放電セルが放電、発光することにより画像が表示される。
【００１６】
各電極の数および放電セルの数はパネルの仕様により異なるが、６５吋のハイビジョン仕様のパネルでは、例えばｎ＝１０８０、ｍ＝５７６０であり、１０８０対の表示電極対２４、５７６０本のデータ電極３２を有し、１０８０×５７６０＝６２２０８００個の放電セルが形成されている。またこのときのパネル１０の寸法は、例えば、縦＝８７０ｍｍ、横＝１５００ｍｍである。
【００１７】
なお、パネル１０の構造は上述したものに限られるわけではなく、例えばストライプ状の隔壁を備えたものであってもよい。
【００１８】
図２は、本発明の実施の形態１におけるパネル１０のデータ電極３２を示す模式図である。データ電極３２の形状の詳細については後述するものとし、ここでは概要について説明する。以下、説明のために、図２の上下の方向を「Ｙ方向」、左右の方向を「Ｘ方向」と称する。
【００１９】
背面基板３１上にはＹ方向に長いデータ電極３２が互いに平行に形成されている。そしてデータ電極３２は画像表示領域５０の外部にまで伸長して形成されている。以下、画像表示領域５０の外部に形成されたデータ電極を「ダミー電極部」と称する。実施の形態１においては、画像表示領域５０の上側および下側のそれぞれにダミー電極部４２が形成されている。ダミー電極部４２の長さは、例えば放電セル４個分に相当する長さである。データ電極３２のそれぞれはデータ電極駆動回路に接続するために設けられた電極端子４４のそれぞれに接続されている。
【００２０】
図３は、本発明の実施の形態１におけるデータ電極３２の形状の詳細を示す図であり、画像表示領域５０の境界部分（図２のＡの部分）の拡大図である。データ電極３２は、走査電極２２および維持電極２３に対向する部分の幅がそれ以外の部分の幅より広く形成されている。以下、この幅の広い部分を幅広部３２ａと呼称する。データ電極３２の寸法は、例えば幅広部３２ａの幅が１６０μｍ、幅広部３２ａの長さが７００μｍであり、幅広部３２ａ以外のその他の部分の幅が８０μｍである。
【００２１】
ダミー電極部４２の形状も画像表示領域５０内部のデータ電極３２の形状と類似しており、データ電極３２の幅広部３２ａに対応する位置にダミー幅広部４２ａが形成されている。そしてダミー幅広部４２ａの幅は画像表示領域５０から遠ざかるにつれて狭くなるように形成されている。
【００２２】
データ電極３２は、例えばＡｇ等を含む導電性ペーストを印刷する等により形成される。そしてその電極幅や電極間幅が小さくなるとデータ電極３２の断線や電極間での短絡が生じやすくなる。そのため、パネルの製造工程においてデータ電極３２の形状異常の有無を検査している。
【００２３】
次に、データ電極３２を検査する方法について説明する。図４は、データ電極３２の断線や短絡の有無を検査する検査装置８０の一例を示す図である。検査装置８０は、検査する背面基板３１を保持するパネル保持台８２と、データ電極３２の形状を拡大して撮像し画像信号を出力するカメラ８４と、カメラ８４を移動させるためのＸＹテーブル８６と、カメラ８４から出力された画像信号にもとづいてデータ電極３２の良否判定を行う信号処理部８８とを備えている。
【００２４】
データ電極３２の形状を検査する方法としては、撮像した電極形状とあらかじめ記憶しているパターンとの差を調べるパターンマッチングの方法を用いてもよい。しかし以下では、撮像した電極形状の輪郭線を抽出し、輪郭線の曲がりやつながり具合を調べて検査する方法を用いるものとして説明する。図５は、検査装置８０を用いて本発明の実施の形態１におけるパネルの検査を行うフローチャートの一例である。
【００２５】
（ステップＳ１）
まず、ＸＹテーブル８６を動作させて、画像表示領域５０内部の撮像開始位置にカメラ８４を移動する。
【００２６】
（ステップＳ２）
次に、カメラ８４は、その位置でデータ電極３２の形状を撮像して信号処理部８８に画像信号を出力する。
【００２７】
（ステップＳ３）
次に、信号処理部８８は、画像信号にもとづきデータ電極３２の異常の有無を検出する。具体的には、まず信号処理部８８は撮像した電極形状の輪郭線を抽出する。次に輪郭線のつながり具合を調べ、データ電極３２の断線、短絡の有無を判定する。図６は、本発明の実施の形態１において、抽出した輪郭線の例を示す図であり、図６（ａ）は正常な輪郭線、図６（ｂ）は断線のある輪郭線、図６（ｃ）は短絡のある輪郭線の例をそれぞれ示している。このように断線や短絡があると隣り合う輪郭線がつながるために、容易に断線、短絡の有無を判定することができる。また信号処理部８８は、隣り合う輪郭線の間隔を調べ、データ電極３２の形状の良否を判定する。図６（ｄ）は幅広部３２ａに形状異常がある輪郭線、図６（ｅ）はカメラ８４がダミー電極部４２を撮像した場合の輪郭線を示している。図６（ｄ）のように、データ電極３２の形状が繰り返し形状とならず、特異形状となっているときはデータ電極３２に形状異常があると判定することができる。一方データ電極３２の形状が繰り返し形状を保ちながら幅広部の幅が所定の値以下となったときは、データ電極３２の形状異常ではなく、カメラ８４が画像表示領域５０から外れてダミー電極部４２を撮像したと判定することができる。
【００２８】
（ステップＳ４）
信号処理部８８がデータ電極３２の異常を検出した場合には、その背面基板３１を不適合と判定し、動作を終了する。異常を検出しなかった場合には次のステップに進む。
【００２９】
（ステップＳ５）
データ電極３２の検査が画像表示領域５０の全域にわたり終了した場合には、その背面基板３１を適合と判定し、動作を終了する。検査すべき領域が残っている場合には次のステップに進む。
【００３０】
（ステップＳ６）
ＸＹテーブル８６を動作させて、次に検査すべき領域にカメラ８４を移動する。その後ステップＳ２に戻る。このとき、カメラ８４が画像表示領域５０から外れたと判定する機能を用いることにより、背面基板３１のデータ電極３２の座標原点とカメラ８４の座標原点とを精度よく合わせる必要がなくなるので、比較的簡単な検査装置を用いてデータ電極３２を検査することができる。
【００３１】
次に、データ電極３２の座標原点とカメラ８４の座標原点とを精度よく合わせる必要がなくなる理由について説明する。図７は、本発明の実施の形態１におけるデータ電極３２を検査する順序を示す模式図である。背面基板３１には図２に示したように、上下方向（Ｙ方向）の画像表示領域５０の外部にダミー電極部４２が形成されている。ステップＳ１において、画像表示領域５０の内部の位置（Ｘ０，Ｙ０）にカメラ８４を移動したとする。検査の後、カメラ８４をＹ方向に移動させるものとすると、ステップＳ６ではカメラ８４の撮像範囲から決まる１単位の距離Δｙだけ上の位置（Ｘ０，Ｙ０＋Δｙ）にカメラ８４を移動する。以降同様にカメラ８４が画像表示領域５０の内部を撮像する限り、位置（Ｘ０，Ｙ０＋２Δｙ）、（Ｘ０，Ｙ０＋３Δｙ）、・・・、（Ｘ０，Ｙ０＋ｈΔｙ）にカメラ８４を順次移動して検査を行う。そして、位置（Ｘ０，Ｙ０＋（ｈ＋１）Δｙ）でカメラ８４が画像表示領域５０から外れたと判定すると、位置（Ｘ０，Ｙ０）よりも１単位の距離Δｙだけ下の位置（Ｘ０，Ｙ０−Δｙ）にカメラ８４を移動して検査を行う。以降同様にカメラ８４が画像表示領域５０の内部を撮像する限り、位置（Ｘ０，Ｙ０−２Δｙ）、（Ｘ０，Ｙ０−３Δｙ）、・・・、（Ｘ０，Ｙ０−ｋΔｙ）にカメラ８４を順次移動して検査を行う。そして、位置（Ｘ０，Ｙ０−（ｋ−１）Δｙ）でカメラ８４が画像表示領域５０から外れたとすると、カメラ８４をＸ方向にも移動させ、位置（Ｘ１，Ｙ０）にカメラ８４を移動して検査を繰り返す。
【００３２】
このように、画像表示領域５０の外部の上下方向（Ｙ方向）にダミー電極部４２を形成することにより、少なくともＹ方向に関しては、データ電極３２の座標原点とカメラ８４の位置の座標原点とを一致させる必要がなくなるので、検査装置を簡素化することができる。
【００３３】
なお、実施の形態１においては、画像表示領域５０の外部のＹ方向にダミー電極部４２を形成したパネルについて説明したが、本発明はこれに限定されるものではなく、画像表示領域５０の外部のＸ方向にダミー電極部４２を形成してもよい。次に、このようなパネルについて説明する。
【００３４】
（実施の形態２）
実施の形態２におけるパネル１０の構造等はおおむね実施の形態１におけるパネル１０と同様であるため説明を省略する。実施の形態２におけるパネル１０が実施の形態１におけるパネル１０と異なるところは、画像表示領域５０の外部のＸ方向およびＹ方向の両方にダミー電極部４２を形成した点である。
【００３５】
図８は、本発明の実施の形態２におけるパネル１０のデータ電極３２を示す模式図である。画像表示領域５０の内部では、実施の形態１と同様に、データ電極３２が互いに平行に形成されている。実施の形態２においては、画像表示領域５０のＹ方向の外部にまで伸長してダミー電極部４２が形成されているだけでなく、画像表示領域５０の外部のＸ方向、すなわち右側および左側にもダミー電極部４２が形成されている。このように構成することで、データ電極３２の検査時に、Ｘ方向、Ｙ方向ともにデータ電極３２の座標原点とカメラ８４の位置の座標原点とを一致させる必要がなくなり、検査および検査装置をさらに簡単にすることができる。
【００３６】
図９は、本発明の実施の形態２におけるデータ電極３２を検査する順序を示す模式図である。ステップＳ１において、画像表示領域５０内部の位置（Ｘ０，Ｙ０）にカメラ８４を移動したとする。そして実施の形態１において説明した手順により位置（Ｘ０，Ｙ０＋ｈΔｙ）〜（Ｘ０，Ｙ０−ｋΔｙ）における検査を行う。その後、カメラ８４を右の方向（Ｘ方向）に移動させるものとすると、ステップＳ６ではカメラ８４の撮像範囲から決まる１単位の距離Δｘだけ右の位置（Ｘ０＋Δｘ，Ｙ０）にカメラ８４を移動する。そして位置（Ｘ０＋Δｘ，Ｙ０＋ｈΔｙ）〜（Ｘ０＋Δｘ，Ｙ０−ｋΔｙ）における検査を行う。以降同様に位置（Ｘ０＋２Δｘ，Ｙ０＋ｈΔｙ）〜（Ｘ０＋２Δｘ，Ｙ０−ｋΔｙ）、・・・、（Ｘ０＋ｐΔｘ，Ｙ０＋ｈΔｙ）〜（Ｘ０＋ｐΔｘ，Ｙ０−ｋΔｙ）における検査を行う。そして、位置（Ｘ０＋（ｐ＋１）Δｘ，Ｙ０）でカメラ８４が画像表示領域５０から外れたと判定すると、位置（Ｘ０，Ｙ０）よりも１単位の距離Δｘだけ左の位置（Ｘ０−Δｘ，Ｙ０）にカメラ８４を移動して、位置（Ｘ０−Δｘ，Ｙ０＋ｈΔｙ）〜（Ｘ０−Δｘ，Ｙ０−ｋΔｙ）における検査を行う。以降同様に位置（Ｘ０−２Δｘ，Ｙ０＋ｈΔｙ）〜（Ｘ０−２Δｘ，Ｙ０−ｋΔｙ）、・・・、（Ｘ０−ｑΔｘ，Ｙ０＋ｈΔｙ）〜（Ｘ０−ｑΔｘ，Ｙ０−ｋΔｙ）における検査を行う。そして、位置（Ｘ０−（ｑ−１）Δｘ，Ｙ０）でカメラ８４が画像表示領域５０から外れたと判定すると、カメラ８４は画像表示領域５０の全域にわたり撮像したことになるので、検査を終了する。
【００３７】
このように、画像表示領域５０のＸ方向およびＹ方向の外部にダミー電極部４２を形成することにより、Ｘ方向およびＹ方向ともにデータ電極３２の座標原点とカメラ８４の位置の座標原点とを一致させる必要がなくなるので、さらに検査装置を簡素化することができる。
【００３８】
なお、実施の形態１、２においては、データ電極３２の形状は、塗布された蛍光体層３５の発光色にかかわらず同一であるとして説明したが、蛍光体層３５の発光色に依存して異なる形状に設計してもよい。また、ダミー電極部４２であるか否かを判別できれば、データ電極３２の形状、例えば幅広部３２ａの幅等を画像表示領域内で変化させてもよい。
【００３９】
また、実施の形態１、２において用いた具体的な各数値は、単に一例を挙げたに過ぎず、パネルの特性やプラズマディスプレイ装置の仕様等に合わせて、適宜最適な値に設定することが望ましい。
【産業上の利用可能性】
【００４０】
本発明は、比較的簡単な検査装置を用いてデータ電極の形状の検査が可能であり、プラズマディスプレイ用のパネルとして有用である。
【図面の簡単な説明】
【００４１】
【図１】本発明の実施の形態１におけるパネルの構造を示す図
【図２】本発明の実施の形態１におけるパネルのデータ電極を示す模式図
【図３】本発明の実施の形態１におけるデータ電極の形状の詳細を示す図
【図４】データ電極の断線や短絡の有無を検査する検査装置の一例を示す図
【図５】検査装置を用いて本発明の実施の形態１におけるパネルの検査を行うフローチャート
【図６】本発明の実施の形態１において、抽出した輪郭線の例を示す図
【図７】本発明の実施の形態１におけるデータ電極を検査する順序を示す模式図
【図８】本発明の実施の形態２におけるパネルのデータ電極を示す模式図
【図９】本発明の実施の形態２におけるデータ電極を検査する順序を示す模式図
【符号の説明】
【００４２】
１０    パネル
２１    前面基板
２２    走査電極
２３    維持電極
２４    表示電極対
３１    背面基板
３２    データ電極
３２ａ    幅広部
４２    ダミー電極部
４２ａ    ダミー幅広部
４４    電極端子
５０    画像表示領域
８０    検査装置
８２    パネル保持台
８４    カメラ
８６    ＸＹテーブル
８８    信号処理部
【図１】
2008311098.tif 000003
【図２】
2008311098.tif 000004
【図３】
2008311098.tif 000005
【図４】
2008311098.tif 000006
【図５】
2008311098.tif 000007
【図６】
2008311098.tif 000008
【図７】
2008311098.tif 000009
【図８】
2008311098.tif 000010
【図９】
2008311098.tif 000011